(57)【特許請求の範囲】
【請求項１】
携帯用包装システムにおいて、
食料容器底部、および、前記食料容器底部から延伸し、食料容器占有領域を画定する食料容器壁部を有する、複数の異なる形状を有する食料容器と、
飲料容器の縁部に着脱自在に連結されるように適合された縁部連結構造、飲料容器蓋が飲料容器に連結されている時に前記飲料容器の中身にアクセス可能なように適合された孔、および、補完的トレイ連結構造を有する前記飲料容器蓋と、
トレイ連結構造を有するトレイ底部、および、前記トレイ底部から延伸し、トレイ占有領域を画定するトレイ壁部を有してなり、前記トレイ占有領域は、前記食料容器が確実に前記トレイに収まるように、前記食料容器占有領域を補完するものであり、前記トレイ連結構造は、前記補完的トレイ連結構造に着脱自在に連結されるように適合された、前記食料容器に対応する複数の異なる形状を有するトレイと、
を備えた携帯用包装システム。
【請求項２】
前記トレイ壁部は、前記食料容器壁部の２５％から７５％の高さである、請求項１記載のシステム。
【請求項３】
前記縁部連結構造は、縁部平面を画定し、
前記飲料容器蓋は、
前記縁部連結構造から前記縁部平面と実質的に同じ平面内で延伸し、前記孔を有する孔平面と、
前記縁部連結構造から延伸する飲料容器蓋立ち上がり壁部と、
前記飲料容器蓋立ち上がり壁部から延伸し、前記補完的トレイ連結構造を有する上側平面と、
を更に備えた、請求項１記載のシステム。
【請求項４】
前記飲料容器蓋立ち上がり壁部の高さは、前記トレイが前記飲料容器蓋に連結されている時に、ストローを前記飲料容器の前記中身に前記孔を通してアクセス可能にさせるのに十分な高さである、請求項３記載のシステム。
【請求項５】
飲料容器蓋立ち上がり壁部は、窪み部を有し、前記孔平面は、前記窪み部において、前記飲料容器蓋立ち上がり壁部に接続されている、請求項３記載のシステム。
【請求項６】
前記トレイ底部は、強化リブを含む、請求項１記載のシステム。
【請求項７】
前記トレイ壁部の第１の部分は、前記トレイ底部から離れるように、垂直方向に延伸し、該トレイ壁部の第２の部分は、該トレイ底部に向かって、垂直方向に延伸し、最上縁壁部は、該トレイ壁部の前記第１および第２の部分を接続して、強化されたトレイ縁部を形成する、請求項１記載のシステム。
【請求項８】
前記食料容器が、紙、ボール紙、または、パルプで構成され、前記トレイは、紙以外のもので構成された、請求項１記載のシステム。
【請求項９】
前記食料容器が、生分解性材料で構成された、請求項１記載のシステム。
【請求項１０】
前記食料容器が、蓋を備えた、請求項１記載のシステム。
【請求項１１】
前記補完的トレイ連結構造が、凸部を含む、請求項１記載のシステム。
【請求項１２】
前記トレイ連結構造が、凹部を含む、請求項１記載のシステム。
【請求項１３】
前記補完的トレイ連結構造は、凸部を有してなり、前記トレイ連結構造は、凹部を有してなり、前記凸部は、前記凹部に補完的であると共に、前記トレイが前記飲料容器蓋に係合される時には、該凸部は曲がるものである、請求項１記載のシステム。
【請求項１４】
前記食料容器占有領域の形状が、正方形、矩形および円形のいずれか１つである、請求項１記載のシステム。
【請求項１５】
前記トレイ壁部が、前記食料容器が前記トレイに収まっている時に該食料容器に対し圧力を加える、トレイ壁部凸部を含む、請求項１記載のシステム。
【請求項１６】
食料容器と共に使用される携帯用包装システムにおいて、
前記食料容器は、食料容器底部、および、前記食料容器底部から延伸し、食料容器占有領域を画定する食料容器壁部を有する、複数の異なる形状を有してなり、
前記システムは、
飲料容器の縁部に着脱自在に連結されるように適合された縁部連結構造、飲料容器蓋が前記飲料容器に連結されている時に前記飲料容器の中身にアクセス可能なように適合された孔、および、補完的トレイ連結構造を有する前記飲料容器蓋と、
トレイ連結構造を有するトレイ底部、および、前記トレイ底部から延伸し、トレイ占有領域を画定するトレイ壁部を有してなり、前記トレイ占有領域は、前記食料容器が確実に前記トレイに収まるように、前記食料容器占有領域を補完し、前記トレイ連結構造は、前記補完的トレイ連結構造に着脱自在に連結されるように適合された、前記食料容器に対応する複数の異なる形状を有するトレイと、
を備えた、携帯用包装システム。
【請求項１７】
前記トレイ壁部は、前記食料容器壁部の２５％から７５％の高さである、請求項１６記載のシステム。
【請求項１８】
前記縁部連結構造は、縁部平面を画定し、
前記飲料容器蓋は、
前記縁部連結構造から前記縁部平面と実質的に同じ平面内で延伸し、前記孔を有する孔平面と、
前記縁部連結構造から延伸する飲料容器蓋立ち上がり壁部と、
前記飲料容器蓋立ち上がり壁部から延伸し、前記補完的トレイ連結構造を有する上側平面と、
を更に備えた、請求項１６記載のシステム。
【請求項１９】
前記飲料容器蓋立ち上がり壁部の高さは、前記トレイが前記飲料容器蓋に連結されている時に、ストローを前記飲料容器の前記中身に前記孔を通してアクセス可能にさせるのに十分な高さである、請求項１８記載のシステム。
【請求項２０】
飲料容器蓋立ち上がり壁部は、窪み部を有し、前記孔平面は、前記窪み部において、前記飲料容器蓋立ち上がり壁部に接続されている、請求項１８記載のシステム。
【請求項２１】
前記トレイ底部は、強化リブを含む、請求項１６記載のシステム。
【請求項２２】
前記トレイ壁部の第１の部分は、前記トレイ底部から離れるように、垂直方向に延伸し、該トレイ壁部の第２の部分は、該トレイ底部に向かって、垂直方向に延伸し、最上縁壁部は、該トレイ壁部の前記第１および第２の部分を接続して、強化されたトレイ縁部を形成する、請求項１６記載のシステム。
【請求項２３】
前記補完的トレイ連結構造が、凸部を含む、請求項１６記載のシステム。
【請求項２４】
前記トレイ連結構造が、凹部を含む、請求項１６記載のシステム。
【請求項２５】
前記補完的トレイ連結構造は、凸部を有してなり、前記トレイ連結構造は、凹部を有してなり、前記凸部は、前記凹部を補完すると共に、前記トレイが前記飲料容器蓋に係合される時には、該凸部は曲がるものである、請求項１６記載のシステム。
【請求項２６】
前記食料容器占有領域の形状が、正方形、矩形および円形のいずれか１つである、請求項１６記載のシステム。
【請求項２７】
前記トレイ壁部が、前記食料容器が前記トレイに収まっている時に該食料容器に対し圧力を加える、トレイ壁部凸部を含む、請求項１６記載のシステム。
【発明の詳細な説明】
【関連出願の相互参照】
【０００１】
本願は、“ＴＲＡＹ  ＦＯＲ  ＦＯＯＤ  ＣＯＮＴＡＩＮＥＲ”という名称で２０１５年１０月９日に出願された米国仮特許出願第６２／２３９，４８５号の利益を主張し、その内容は、参照により本明細書に組み込まれる。
【技術分野】
【０００２】
本発明は、食料容器に関する。
【背景技術】
【０００３】
本願は、“ＣＵＰ  ＬＩＤ  ＷＩＴＨ  ＩＮＴＥＧＲＡＴＥＤ  ＣＯＮＴＡＩＮＥＲ”という名称で２０１３年１２月３日に発行された特許文献１、“ＴＯＰ  ＭＯＵＮＴＩＮＧ  ＣＡＮ  ＣＯＮＴＡＩＮＥＲ”という名称で２０１４年４月１５日に発行された特許文献２、“ＣＵＰ  ＬＩＤ  ＷＩＴＨ  ＩＮＴＥＧＲＡＴＥＤ  ＣＯＮＴＡＩＮＥＲ”という名称で２０１３年２月２６日に発行された特許文献３、“ＣＵＰ  ＬＩＤ  ＷＩＴＨ  ＩＮＴＥＧＲＡＴＥＤ  ＣＯＮＴＡＩＮＥＲ”という名称で２０１４年５月６日に発行された特許文献４、“ＴＯＰ  ＭＯＵＮＴＩＮＧ  ＣＡＮ  ＣＯＮＴＡＩＮＥＲ”という名称で２０１３年１１月２６日に発行された特許文献５、“ＬＩＤ  ＷＩＴＨ  ＩＮＴＥＧＲＡＴＥＤ  ＣＯＮＴＡＩＮＥＲ”という名称で２０１４年４月２９日に発行された特許文献６、“ＴＷＯ−ＰＡＲＴ  ＲＥＣＹＣＬＡＢＬＥ  ＣＵＰ”という名称で２０１４年４月２２日に発行された特許文献７、“ＴＯＰ  ＭＯＵＮＴＩＮＧ  ＢＯＴＴＬＥ  ＣＯＮＴＡＩＮＥＲ”という名称で２０１２年３月５日に出願された特許文献８、“ＣＵＰ  ＬＩＤ  ＷＩＴＨ  ＩＮＴＥＧＲＡＴＥＤ  ＣＯＮＴＡＩＮＥＲ”という名称で２０１２年１１月１７日に出願された特許文献９、“ＣＵＰ  ＬＩＤ  ＷＩＴＨ  ＩＮＴＥＧＲＡＴＥＤ  ＣＯＮＴＡＩＮＥＲ”という名称で２０１２年１１月１７日に出願された特許文献１０、“ＣＵＰ  ＬＩＤ  ＷＩＴＨ  ＩＮＴＥＧＲＡＴＥＤ  ＣＯＮＴＡＩＮＥＲ”という名称で２０１３年１月３日に出願された特許文献１１、“ＬＩＤ  ＷＩＴＨ  ＩＮＴＥＧＲＡＴＥＤ  ＣＯＮＴＡＩＮＥＲ”という名称で２０１４年４月２８日に出願された特許文献１２、“Ａ  ＣＯＮＴＡＩＮＥＲ  ＬＩＤ  ＷＩＴＨ  ＯＮＥ  ＯＲ  ＭＯＲＥ  ＣＡＶＩＴＩＥＳ”という名称で２０１４年５月２日に出願された特許文献１３、“Ａ  ＣＯＮＴＡＩＮＥＲ  ＬＩＤ  ＷＩＴＨ  Ａ  ＦＯＯＤ  ＣＯＭＰＡＲＴＭＥＮＴ  ＡＮＤ  Ａ  ＳＩＰ−ＨＯＬＥ”という名称で２０１４年５月９日に出願された特許文献１４、“Ａ  ＣＯＮＴＡＩＮＥＲ  ＬＩＤ  ＳＹＳＴＥＭ  ＷＩＴＨ  Ａ  ＬＩＤ  ＰＯＲＴＩＯＮ  ＡＮＤ  ＦＯＯＤ  ＣＯＮＴＡＩＮＥＲ  ＰＯＲＴＩＯＮ”という名称で２０１４年６月２４日に出願された特許文献１５、“Ａ  ＣＯＮＴＡＩＮＥＲ  ＬＩＤ  ＳＹＳＴＥＭ  ＷＩＴＨ  Ａ  ＬＩＤ  ＰＯＲＴＩＯＮ  ＡＮＤ  ＦＯＯＤ  ＣＯＮＴＡＩＮＥＲ  ＰＯＲＴＩＯＮ”という名称で２０１４年５月３０日に出願された特許文献１６、“ＢＥＮＤＡＢＬＥ  ＤＲＩＮＫＩＮＧ  ＳＴＲＡＷ”という名称で２０１４年８月２２日に出願された特許文献１７、“ＢＥＮＤＡＢＬＥ  ＳＡＦＥＴＹ  ＳＴＲＡＷ”という名称で２０１４年８月１６日に出願された特許文献１８、“ＢＥＮＤＡＢＬＥ  ＳＡＦＥＴＹ  ＳＴＲＡＷ  ＡＮＤ  ＬＩＤＳ  ＷＩＴＨ  ＦＯＯＤ  ＣＯＭＰＡＲＴＭＥＮＴ”という名称で２０１５年１月２０日に出願された特許文献１９、“ＦＯＯＤ  ＣＯＮＴＡＩＮＥＳ，ＴＲＡＹＳ  ＡＮＤ  ＬＩＤＳ”という名称で２０１６年９月１６日に出願された特許文献２０、“ＦＯＯＤ  ＣＯＮＴＡＩＮＥＲ  ＷＩＴＨ  ＰＥＥＬ  ＯＦＦ  ＣＯＶＥＲ”という名称で２０１５年１０月９日に出願された特許文献２１、および��“ＣＵＰ  ＬＩＤ  ＷＩＴＨ  ＩＮＴＥＧＲＡＴＥＤ  ＣＯＮＴＡＩＮＥＲ”という名称で２０１６年１月３日に出願された特許文献２２にも関するものであり、全て、本願と同じ発明者によるものである。これらの各出願は、参照により、本明細書に組み込まれる。
【０００４】
ファーストフード店の人気の高まりが、活動しながらの飲食の人気と合わさって、より便利に食料および飲み物を持ち歩くことが必要になった。
【０００５】
毎年、何十億個もの使い捨て飲料容器が使われている。それらの容器は、より大きな食事の一部であることが多く、現在の技術では、飲料容器には、蓋がされ、食料および香辛料は、別に分かれた、取り外された容器に詰められる。これは、テーブルに着席した消費者には、満足なものかもしれない。しかしながら、消費者が活動しながら食べなければならない場合には、現在の技術の使用には、問題がある。例えば、飲料を飲みながら、フライドポテトおよびケチャップに手を伸ばしたい消費者を、考えてみよう。消費者は、飲料を脇に置き、次に、片手で袋を保持し、反対の手でケチャップパックにアクセスし、次に、袋を脇に置いて、両手で、そのパックを開け、最後に、片手を離してフライドポテトにアクセスし、フライドポテトをパックにディップしなければならない。この例が示すように、現在の技術では、便利に活動しながら食べることはできない。
【０００６】
本発明者は、飲料蓋に連結される食料容器を開示し、従来例の問題のいくつかに取り組んできた。例えば、“ＣＵＰ  ＬＩＤ  ＷＩＴＨ  ＩＮＴＥＧＲＡＴＥＤ  ＣＯＮＴＡＩＮＥＲ”という名称で２０１３年１２月３日に発行された米国特許第８，５９６，４９１号明細書、“ＣＵＰ  ＬＩＤ  ＷＩＴＨ  ＩＮＴＥＧＲＡＴＥＤ  ＣＯＮＴＡＩＮＥＲ”という名称で２０１３年２月２６日に発行された米国特許第８，３８１，９３５号明細書、および、“ＣＵＰ  ＬＩＤ  ＷＩＴＨ  ＩＮＴＥＧＲＡＴＥＤ  ＣＯＮＴＡＩＮＥＲ”という名称で２０１４年５月６日に発行された米国特許第８，７１４，３９３号明細書に、そのような食料容器が開示されている。しかしながら、これらの容器にも、いくつかの欠点がある。第１に、従来の蓋連結タイプの食料容器は、既存の非蓋連結タイプの容器と互換性がなく、ファーストフード店は、２種類の食料容器（蓋連結タイプおよび非蓋連結タイプ）を手元に置くにしても、または、全ての食料容器を、新しい蓋連結タイプのデザインと交換するにしても、多額の費用を負うことになるので、業界における従来の蓋連結タイプの食料容器の採用ペースは、遅いものとなる。第２に、従来の蓋連結タイプの食料容器は、複雑な構造なので、紙と比べて環境に優しくないプラスチックで作製される。むしろ、ファーストフードチェーンの多くは、環境を破壊するスタイロフォーム（登録商標）の容器などを紙の容器に変更して、この懸念に取り組んできた。現在、紙またはボール紙の容器を使用しているフード店が、中までプラスチックの容器を再び使うようになれば、抗議運動に合うかもしれない。
【先行技術文献】
【特許文献】
【０００７】
【特許文献１】米国特許第８，５９６，４９１号明細書
【特許文献２】米国特許第８，６９５，８４５号明細書
【特許文献３】米国特許第８，３８１，９３５号明細書
【特許文献４】米国特許第８，７１４，３９３号明細書
【特許文献５】米国特許第８，５９０，７３０号明細書
【特許文献６】米国特許第８，７０８，１８１号明細書
【特許文献７】米国特許第８，７０１，９１４号明細書
【特許文献８】米国特許出願第１３／４１２，６０２号明細書
【特許文献９】米国特許出願第１３／６８０，０１１号明細書
【特許文献１０】米国特許出願第１３／６８０，０４９号明細書
【特許文献１１】米国特許出願第１３／７３３，１５３号明細書
【特許文献１２】米国特許出願第１４／２６３，９９３号明細書
【特許文献１３】米国特許出願第１４／２６９，０１６号明細書
【特許文献１４】米国特許出願第１４／２７４，５７６号明細書
【特許文献１５】米国特許出願第１４／３１３，９０７号明細書
【特許文献１６】米国仮特許出願第６２／００５，８６２号明細書
【特許文献１７】米国特許出願第２９／５００，２６６号明細書
【特許文献１８】米国仮特許出願第６２／０３８，２０９号明細書
【特許文献１９】米国仮特許出願第６２／１０５，２５６号明細書
【特許文献２０】米国仮特許出願第６２／３９５，９１１号明細書
【特許文献２１】米国仮特許出願第６２／２３９，４８３号明細書
【特許文献２２】米国特許出願第１４／９８６，７０３号明細書
【発明の概要】
【発明が解決しようとする課題】
【０００８】
したがって、これらの欠点を克服し、便利に活動しながら食べることを促進させるような蓋が必要とされている。
【課題を解決するための手段】
【０００９】
本発明は、上記のような要望に対し、的確な解決策を提供し、当業者には明らかであろう数々の更なる利点および優位点を提供する。食料容器、飲料容器蓋およびトレイを含む携帯用包装システムを開示、請求する。食料容器は、底部、および、底部から延伸し、食料容器占有領域を画定する壁部を有する。蓋は、飲料容器の縁部に着脱自在に連結される縁部連結構造、および、飲料容器蓋が飲料容器に連結されている時に飲料容器の中身にアクセス可能にする孔を有する。トレイは、トレイ底部、および、トレイ占有領域を画定する壁部を有し、トレイ占有領域は、食料容器が確実にトレイに収まりうるように、食料容器占有領域を補完する。トレイと蓋とは、互いに着脱自在に連結される。
【００１０】
食料容器を確実に収められた状態で維持するために、トレイ壁部は、食料容器壁部の２５％から７５％の高さであることが好ましい。トレイ壁部は、食料容器の側壁部に対し圧力を加える、トレイ壁部凸部も含んでいてもよい。
【００１１】
飲料容器の中身へのアクセスを助けるために、縁部連結構造は、縁部平面を画定し、飲料容器蓋は、縁部連結構造から縁部平面と実質的に同じ平面内で延伸する孔平面を含んでいてもよい。孔平面は、孔を含んでいてもよい。さらに、飲料容器蓋は、縁部連結構造から上方に延伸する立ち上がり壁部を含み、上面平面は、飲料容器蓋立ち上がり壁部から延伸していてもよく、上面平面は、補完的トレイ連結構造を有する。飲料容器蓋立ち上がり壁部の高さは、トレイが飲料容器蓋に連結されている時に、ストローを飲料容器の中身に孔を通してアクセス可能にさせるのに十分な高さであってもよい。飲料容器蓋立ち上がり壁部は、窪み部、および、孔を有する孔平面も含んでいてもよく、孔平面は、窪み部において、飲料容器蓋立ち上がり壁部に接続されている。
【００１２】
トレイ底部は、強化リブを含んでいてもよい。
【００１３】
トレイ壁部は、トレイ底部から離れるように、垂直方向に延伸する第１の部分、および、トレイ底部に向かって、垂直方向に延伸する第２の部分も有していてもよく、最上縁壁部は、トレイ壁部の第１および第２の部分を接続して、強化されたトレイ縁部構造を形成する。
【００１４】
食料容器は、紙、ボール紙、パルプ、または、他の生分解性材料で構成されてもよく、トレイは、追加で、紙以外のもので構成されてもよい。食料容器は、蓋も有しうる。食料容器占有領域の形状は、正方形、矩形または円形でありうる。
【００１５】
飲料容器蓋の補完的トレイ連結構造は、凸部を有し、トレイ連結構造は、凹部を有していてもよく、凸部は、凹部を補完し、トレイが飲料容器蓋に係合される時には、凸部は曲がる。
【００１６】
他の実施形態において、携帯用包装システムは、別に分かれた食料容器を有する必要はないが、トレイおよび飲料容器蓋を含んでいてもよい。
【００１７】
当業者に明らかであるような、更なる態様、代替例および変形例も、本明細書に開示され、本発明の一部として含まれるものであることを特に意図している。本発明は、本願または関連出願において、特許庁が許可した請求項でのみ規定され、以下のいくつかの例の概略的記載は、法的保護範囲を制限、画定、または、別に確立するものでは全くない。
【００１８】
本発明は、以下の図面を参照することで、更に理解しうるだろう。図面中の構成要素は、必ずしも縮尺通りではなく、むしろ、本発明の例示的態様を、はっきりと示すことに重点が置かれている。図面では、異なる図面および／または実施形態を通し、対応する部分は、類似の参照番号で示されている。構成要素および詳細の中には、本発明をより明瞭に記載するのを助けるために、図面には表されていないものがあると理解されるだろう。
【図面の簡単な説明】
【００１９】
【図１】携帯用包装システムの第１の実施形態を示し、トレイが、飲料容器の蓋に着脱自在に連結され、トレイが、正方形の占有領域を有する食料容器を受け付ける寸法である。
【図２】図１の携帯用包装システムを示し、食料容器が、トレイに収められている。
【図３】図１の携帯用包装システムの上面斜視図であり、トレイが、飲料容器の蓋に着脱自在に連結され、食料容器は、トレイに収まっていない。
【図４Ａ】図１の携帯用包装システムの上面斜視図であり、トレイが、飲料容器の蓋に着脱自在に連結され、食料容器は、トレイに収まっている。
【図４Ｂ】図１の携帯用包装システムの底面斜視図であり、トレイが、飲料容器の蓋に着脱自在に連結され、食料容器は、トレイに収まっている。
【図５Ａ】図１の携帯用包装システムを示す上面斜視分解図である。
【図５Ｂ】図１の携帯用包装システムを示す底面斜視分解図である。
【図５Ｃ】図１の携帯用包装システムの飲料容器蓋を示す底面斜視図であり、蓋の様々な特徴物を示している。
【図５Ｄ】図１の携帯用包装システムの飲料容器蓋を示す上面斜視図であり、蓋の様々な特徴物を示している。
【図５Ｅ】図１の携帯用包装システムの飲料容器蓋の上面図である。
【図６】図１の携帯用包装システムを示す底面斜視図であり、トレイは、飲料容器の蓋に連結されておらず、食料容器も、トレイに収まっていない。
【図７Ａ】図１の携帯用包装システムを示す上面図であり、食料容器がトレイに収まった状態で、トレイが、飲料容器の蓋に着脱自在に連結されている。
【図７Ｂ】図１の携帯用包装システムを示す底面図であり、食料容器がトレイに収まった状態で、トレイが、飲料容器の蓋に着脱自在に連結されている。
【図７Ｃ】図１の携帯用包装システムを示す側面図であり、食料容器がトレイに収まった状態で、トレイが、飲料容器の蓋に着脱自在に連結されている。
【図７Ｄ】図１の携帯用包装システムを示す背面図であり、食料容器がトレイに収まった状態で、トレイが、飲料容器の蓋に着脱自在に連結されている。
【図７Ｅ】図１の携帯用包装システムを示す前面図であり、食料容器がトレイに収まった状態で、トレイが、飲料容器の蓋に着脱自在に連結されている。
【図８Ａ】図１のトレイの上面斜視図である。
【図８Ｂ】図１のトレイの底面斜視図である。
【図９Ａ】図１のトレイの上面図である。
【図９Ｂ】図１のトレイの底面図である。
【図９Ｃ】図１のトレイの側面図である。
【図１０】携帯用包装システムの第２の実施形態を示し、トレイが、飲料容器の蓋に着脱自在に連結され、トレイが、矩形の占有領域を有する食料容器を受け付ける寸法である。
【図１１】図１０の携帯用包装システムを示し、食料容器が、トレイに収められている。
【図１２】図１０の携帯用包装システムの上面斜視図であり、トレイが、飲料容器の蓋に連結され、食料容器は、トレイに収まっていない。
【図１３Ａ】図１０の携帯用包装システムの上面斜視図であり、食料容器がトレイに収まった状態で、トレイが、飲料容器の蓋に着脱自在に連結されている。
【図１３Ｂ】図１０の携帯用包装システムの底面斜視図であり、食料容器がトレイに収まった状態で、トレイが、飲料容器の蓋に着脱自在に連結されている。
【図１４Ａ】図１０の携帯用包装システムを示す上面斜視分解図である。
【図１４Ｂ】図１０の携帯用包装システムを示す底面斜視分解図である。
【図１５】図１０の携帯用包装システムを示す底面斜視図であり、トレイが、飲料容器の蓋に連結され、食料容器は、トレイに収まっていない。
【図１６Ａ】図１０の携帯用包装システムを示す上面図であり、食料容器がトレイに収まった状態で、トレイが、飲料容器の蓋に着脱自在に連結されている。
【図１６Ｂ】図１０の携帯用包装システムを示す底面図であり、食料容器がトレイに収まった状態で、トレイが、飲料容器の蓋に着脱自在に連結されている。
【図１６Ｃ】図１０の携帯用包装システムを示す側面図であり、食料容器がトレイに収まった状態で、トレイが、飲料容器の蓋に着脱自在に連結されている。
【図１６Ｄ】図１０の携帯用包装システムを示す背面図であり、食料容器がトレイに収まった状態で、飲料容器の蓋に着脱自在に連結されている。
【図１６Ｅ】図１０の携帯用包装システムを示す前面図であり、食料容器がトレイに収まった状態で、飲料容器の蓋に着脱自在に連結されている。
【図１７Ａ】図１０のトレイの上面斜視図である。
【図１７Ｂ】図１０のトレイの底面斜視図である。
【図１８Ａ】図１０のトレイの上面図である。
【図１８Ｂ】図１０のトレイの底面図である。
【図１８Ｃ】図１０のトレイの前面図ある。
【図１８Ｄ】図１０のトレイの側面図ある。
【図１９Ａ】飲料容器蓋の第３の実施形態の上面斜視図である。
【図１９Ｂ】図１９Ａの飲料容器蓋の底面斜視図である。
【図１９Ｃ】図１９Ａの飲料容器蓋の上面図である。
【図２０】携帯用包装システムの第３の実施形態の上面斜視図であり、トレイが、図１９Ａの飲料容器蓋に着脱自在に連結され、トレイが、正方形の占有領域を有する食料容器を受け付ける寸法である。
【図２１Ａ】図２０の携帯用包装システムを示す上面斜視分解図である。
【図２１Ｂ】図２０の携帯用包装システムを示す底面斜視分解図である。
【図２２Ａ】図２０のトレイの上面図である。
【図２２Ｂ】図２０のトレイの前面図である。
【図２２Ｃ】図２０のトレイの側面図である。
【図２２Ｄ】図２０のトレイの上面斜視図である。
【図２２Ｅ】図２０のトレイの底面斜視図である。
【図２３】携帯用包装システムの第４の実施形態の上面斜視図であり、トレイが、図１９Ａの飲料容器蓋に着脱自在に連結され、トレイが、矩形の占有領域を有する食料容器を受け付ける寸法である。
【図２４Ａ】図２３の携帯用包装システムを示す上面斜視分解図である。
【図２４Ｂ】図２３の携帯用包装システムを示す底面斜視分解図である。
【図２５Ａ】図２３のトレイの上面図である。
【図２５Ｂ】図２３のトレイの前面図である。
【図２５Ｃ】図２３のトレイの側面図である。
【図２５Ｄ】図２３のトレイの上面斜視図である。
【図２５Ｅ】図２３のトレイの底面斜視図である。
【図２６Ａ】食料容器なしで使用してもよい円形トレイの上面斜視図を示し、円形トレイが、飲料容器蓋に取り付けられている。
【図２６Ｂ】図２６Ａの円形トレイを横から見た断面図を示し、円形トレイが、ストロー孔と比較して高い位置にあることを詳細に示し、それにより、円形トレイの外側底部の角部に妨害されることなく、ストローで、飲料容器の中身にアクセスできる。
【図２６Ｃ】図２６Ａの食料容器なしで使用してもよい円形トレイの上面斜視図を示し、円形トレイが、飲料容器蓋から取り外されている。
【図２６Ｄ】図２６Ａの食料容器なしで使用してもよい円形トレイの底面斜視図を示し、円形トレイが、飲料容器蓋から取り外されている。
【図２７Ａ】食料容器なしで使用してもよい逆角錐台形トレイの上面斜視図を示し、トレイが、飲料容器蓋に取り付けられている。
【図２７Ｂ】図２７Ａの逆角錐台形トレイを横から見た断面図を示し、トレイが、ストロー孔と比較して高い位置にあることを詳細に示し、それにより、トレイの外側底部の角部に妨害されることなく、ストローで、飲料容器の中身にアクセスできる。
【図２７Ｃ】食料容器なしで使用してもよい図２７Ａの逆角錐台形トレイの上面斜視図を示し、トレイが、飲料容器蓋から取り外されている。
【図２７Ｄ】食料容器なしで使用してもよい図２７Ａの逆角錐台形トレイの底面斜視図を示し、トレイが、飲料容器蓋から取り外されている。
【発明を実施するための形態】
【００２０】
本明細書では、本発明を実施するために本発明者によって考えられた任意のベストモードを含む、本発明のいくつかの具体例を記載する。これらの具体的実施形態の例は、添付の図面に示されている。本発明を、これらの具体的な実施形態と関連して記載するが、本発明を、記載または示された実施形態に制限することを意図したものではないと理解されるだろう。むしろ、添付の請求項に記載されたような本発明の精神および範囲に含まれてもよい代替例、変更例、および、等価物を網羅することを意図している。
【００２１】
以下の記載において、本発明の完全な理解のために、数々の具体的な詳細が示される。本発明の特定の例示的実施形態は、これらの具体的な詳細のうちのいくつか、または、全てを含まずに実施されてもよい。他の場合において、本発明を不必要に曖昧にさせないために、当業者に周知の処理動作は、詳細に記載していない。本発明の様々な技術および機構を明瞭に記載するために、単数形で記載する場合がある。しかしながら、別段の記載がない限り、いくつかの実施形態は、多数回、技術を繰り返すこと、または、多数の機構を含むものであることに留意すべきである。同様に、ここに示されると共に記載された方法の様々な工程は、必ずしも示された順序で行われないか、または、実施形態によっては、全く行われない。したがって、本明細書に記載された方法は、図示または記載された工程より多いか、または、少ない工程を含んで実施されてもよい。更に、本発明の技術および機構は、２つ以上のもの同士の接続、関係または連通を記載する場合がある。もの同士のの接続または関係は、任意の２つのものの間に様々な他の物が存在、または、工程が行われてもよいので、必ずしも、直接的な、妨げるものがない接続を意味するものではないと留意すべきである。したがって、別段の記載がない限りは、示された接続は、必ずしも、直接的な、妨げるものがない接続を意味するものではない。
【００２２】
以下の例示的特徴物のリストは、図１から２７Ｄに対応し、参照を容易にするために用意されたものであり、明細書および図面を通して、類似の参照番号は対応する特徴物を示している。
【００２３】
正方形携帯用包装システム１０
矩形携帯用包装システム１０Ｂ
正方形携帯用包装システム（雄型蓋連結）１０Ｃ
矩形携帯用包装システム（雄型蓋連結）１０Ｄ
正方形食料容器１５
矩形食料容器１５Ｂ
飲料容器蓋２０
飲料容器蓋（雄型連結）２０Ｂ
正方形トレイ２５
矩形トレイ２５Ｂ
正方形トレイ（雄型蓋連結）２５Ｃ
矩形トレイ（雄型蓋連結）２５Ｄ
円形トレイ２５Ｅ
逆角錐台トレイ２５Ｆ
食料容器壁部３５
食料容器占有領域４０
食料容器蓋４５
縁部連結構造５０
縁部平面５５
飲料容器６０
孔６５
孔平面７０
飲料容器蓋立ち上がり壁部７５
窪み部８０
上側平面８５
補完的トレイ連結構造９０
チャンネル９０Ａ
支柱９０Ｂ
凸部９２
ストロー９５
トレイ底部１００
強化リブ１０５
トレイ壁部１１０
トレイ壁部凸部１１２
トレイ壁部の第１の部分１１５
トレイ壁部の第２の部分１２０
最上縁壁部／強化されたトレイ縁部１２５
トレイ占有領域１３０
トレイ連結構造１３５
凹部１４０
支柱１４５
スペース１５０
携帯用包装システム（円形トレイ）１５５
携帯用包装システム（逆角錐台トレイ）１６０。
【００２４】
図１は、飲料容器６０の飲料容器蓋２０に着脱自在に連結されうるトレイ２５を含む携帯用包装システム１０の第１の実施形態を示し、トレイ２５は、正方形の占有領域を有する食料容器１５を受け付ける寸法である。図２から９Ｃは、携帯用包装システム１０の第１の実施形態を、異なる視点から、ファーストフード提供での使用に関して示している。図１０は、飲料容器６０の飲料容器蓋２０に着脱自在に連結されうるトレイ２５Ｂを含む携帯用包装システム１０Ｂの第２の実施形態を示し、トレイ２５Ｂは、矩形の占有領域を有する食料容器１５Ｂを受け付ける寸法である。図１１から１８Ｄは、携帯用包装システム１０Ｂの第２の実施形態を、異なる視点から、ファーストフード提供での使用に関して示している。図１から９Ｃを参照する第１の実施形態を、以下で詳細に記載し、同じ詳細構造を、第２の実施形態（つまり、図１０から１８Ｄ）に適合しうる。同様に、同じ構造を、図１９Ａから２５Ｅに示された第３および更なる実施形態に、適用しうる。
【００２５】
本明細書の教示および開示は、食料容器なしで使用してもよく、むしろ、トレイ自体が、食料を保持してもよい容積として機能する。このことが、図２６Ａから２６Ｄ（円形トレイ）および、図２７Ａから２７Ｄに、（逆角錐台トレイ）示されている。
【００２６】
別に分かれた食料容器を含む携帯用包装システム
図１から９Ｃを参照すると、正方形食料容器１５、飲料容器蓋２０、および、正方形トレイ２５を含む携帯用包装システム１０が示されている。食料容器１５は、底部３０、および、底部３０から延伸する壁部３５を有し、壁部３５は、食料容器占有領域４０を画定している。食料容器１５は、紙、ボール紙、パルプ、または、他の生分解性材料で構成されてもよい。食料容器１５は、食料容器蓋４５、および、ヒンジ（不図示）も有して、クラムシェル型容器も形成しうる。食料容器占有領域の形状は、正方形（図１から９Ｃ）、矩形（図１０から１８Ｄ）、円形、または、任意の他の適切な形状でありうる。
【００２７】
図５Ｃから５Ｅに、より詳しく示されているように、飲料容器蓋２０は、飲料容器６０の縁部に着脱自在に連結され縁部連結構造５０、および、飲料容器蓋２０が飲料容器６０に連結されている時に飲料容器６０の中身にアクセス可能にする孔６５を有する。飲料容器６０の中身へのアクセスを助けるために、縁部連結構造５０は、縁部平面５５を画定し、飲料容器蓋２０は、縁部連結構造５０から縁部平面５５と実質的に同じ平面内で延伸しする孔平面７０を更に含む。孔平面７０は、孔６５を含んでいてもよい。さらに、飲料容器蓋立ち上がり壁部７５は、縁部連結構造５０から離れるように、上方に延伸し、上側平面８５は、飲料容器蓋立ち上がり壁部７５から延伸していてもよく、上側平面８５は、補完的トレイ連結構造９０を含んでいる（ここでは、連結構造は、チャンネル９０Ａおよび支柱９０Ｂとして示され、そのような構成は、連結時に、トレイの安定性を維持するのを助ける）。飲料容器蓋立ち上がり壁部７５の高さは、トレイ２５が飲料容器蓋２０に連結されている時に、トレイ２５または食料容器１５の底部外側の角部に妨害されることなく、ストローを飲料容器６０の中身に孔６５を通してアクセス可能にさせるのに十分な高さであってもよい。飲料容器蓋立ち上がり壁部７５は、窪み部８０、および、窪み部８０において、飲料容器蓋立ち上がり壁部７５に接続された孔平面７０も含んでいてもよい。
【００２８】
トレイ２５は、トレイ底部１００、および、トレイ占有領域１３０を画定するトレイ壁部１１０を有し、トレイ占有領域１３０は、食料容器１５が確実にトレイ２５に収まるように、食料容器占有領域４０を補完する。トレイ２５および飲料容器蓋２０は、互いに着脱自在に連結されうる。トレイ底部１００は、強化リブ１０５を含んでいてもよく、トレイ壁部１１０も同じである。トレイ壁部１１０は、トレイ底部１００から離れるように、垂直方向に延伸する第１の部分１１５、および、トレイ底部１００に向かって、垂直方向に延伸する第２の部分１２０も有し、トレイ壁部の第１の部分と第２の部分の間の縁壁部が、強化されたトレイ縁部１２５を形成し、トレイ構造に剛性を加える。
【００２９】
飲料容器蓋２０の補完的トレイ連結構造９０は、凸部９２を有し、トレイ連結構造１３５は、凹部１４０（図９Ｃ）有するか、または、他の１対の補完的構造を有していてもよく、凸部９２は、凹部１４０を補完し、トレイ２５が飲料容器蓋２０に係合される時には、凸部９２は曲がる。凹部１４０も、曲がってもよく、凸部９２および／または凹部１４０のいずれか、または、両方が、互いに圧力を加え、飲料容器蓋２０とトレイ２５の間の確実な接続を維持する。
【００３０】
トレイ壁部１１０は、食料容器１５を確実に収めるために、食料容器壁部３５の２５％から７５％の高さであることが好ましく、トレイ壁部１１０は、食料容器１５に対し圧力を加えるトレイ壁部凸部１１２も含んでいてもよい。
【００３１】
このトレイの利点は、既存のタイプの製品包装に導入可能で、既存のタイプの包装と共に機能するということである。これにより、２つの完全に異なるタイプの食料容器を保有せずに、食料を顧客に引き渡すための新しい方法を提供する。例えば、ある顧客は、食料を、活動しながら食べずに、自宅に持ち帰るかもしれず、したがって、トレイを使う必要はないものの、食料容器は必要である。次の顧客は、活動しながら食べるかもしれず、トレイが必要になるかもしれない。レストランは、両方の顧客に同じ食料容器を使いながら、単に、一方にはトレイを提供することによって、両方の顧客に対処してもよい。
【００３２】
トレイの使用は、より環境に優しいという利点もある。ここ数年、環境への関心の高まりから、多くのレストランは、食料容器を、Ｓｔｙｒｏｆｏａｍ（登録商標）から生分解性紙製品に変更してきた。トレイの使用により、レストランは、多額の費用を掛けてきた紙製品を使用し続けることができる。さらに、トレイは、堆肥化できるＰＬＡプラスチックで製作されてもよく、一般的なクラムシェル型プラスチック容器より、可塑性が２／３低い。
【００３３】
トレイは、飲料容器の蓋に連結されてもよい。そのような蓋は、“Ａ  ＣＯＮＴＡＩＮＥＲ  ＬＩＤ  ＳＹＳＴＥＭ  ＷＩＴＨ  Ａ  ＬＩＤ  ＰＯＲＴＩＯＮ  ＡＮＤ  ＦＯＯＤ  ＣＯＮＴＡＩＮＥＲ  ＰＯＲＴＩＯＮ”という名称で２０１４年６月２４日に出願された米国特許出願第１４／３１３，９０７号明細書、および、“ＣＵＰ  ＬＩＤ  ＷＩＴＨ  ＩＮＴＥＧＲＡＴＥＤ  ＣＯＮＴＡＩＮＥＲ”という名称で２０１６年１月３日に出願された米国特許出願第１４／９８６，７０３号明細書に記載されている。他にも、そのような飲料容器蓋は、“ＢＥＶＥＲＡＧＥ  ＣＯＮＴＡＩＮＥＲ  ＬＩＤ”という名称で、２０１６年９月２７日に発行された米国特許第Ｄ７６７，３９１号明細書に示されている。これらの特許および特許出願は、本願と同じ発明者によるもので、全て、参照により、本明細書に組み込まれる。連結される蓋の他の例は、本仮出願の冒頭に挙げた特許出願に記載されおり、全て、参照により本明細書に組み込まれる。
【００３４】
第１の実施形態（つまり、図１から９Ｃ）についてのみ記載した構造は、矩形トレイを示す図１０から１８Ｄに示された第２の実施形態にも適用しうる。異なる形状の食料容器を収容するのに、他のトレイ形状を使用しうる。
【００３５】
トレイ連結構造、および、飲料容器蓋の補完的トレイ連結構造は、様々な構成で形成可能である。図１から６および図１０から１６Ｅに示された蓋２０は、雌型連結であり、トレイ連結構造が、補完的トレイ連結構造に挿入される。図１９Ａおよび１９Ｂは、雄型連結飲料容器蓋２０Ｂを示している。図２０から２２Ｅは、雄型連結１０Ｃを利用した正方形携帯用包装システムを示している。この実施形態において、正方形トレイ２５Ｃは、トレイ連結スペース１５０に挿入される支柱１４５として示された、雄型連結構造を受け付けるように構成されている。図２３から２５Ｅは、雄型連結飲料容器蓋２０Ｂを使用する、同様の矩形携帯用包装システム１０Ｄを示している。
【００３６】
別に分かれた食料容器を含まない携帯用包装システム
図２６Ａから２６Ｄでは、円形トレイ２５Ｅを開示している。ここでは、トレイ壁部の高さが、先に開示したものより高く、トレイに直に置かれた食料を収容するものであり、つまり、別に分かれた食料容器を必要としない。図２６Ａから２６Ｄに示された蓋２０は、図１から６および図１０から１６Ｅについて示された蓋と同じである。この蓋２０の利点は、トレイまたは食料容器の底部外側の角部に妨害されることなく、ストローが孔に挿入できるように、特に設計されているということである。
【００３７】
図２６Ｂは、円形トレイ２５Ｅの断面図を、ストロー９５が孔６５に挿入された状態で示している。さらに、飲料容器蓋立ち上がり壁部７５は、縁部連結構造５０から離れるように上方に延伸していてもよく、上側平面８５は、飲料容器蓋立ち上がり壁部７５から延伸していてもよく、上側平面８５は、補完的トレイ連結構造９０を有する。飲料容器蓋立ち上がり壁部７５の高さは、トレイ２５Ｅが飲料容器蓋２０に連結されている時に、妨害されることなく、ストローを飲料容器６０の中身に孔６５を通してアクセル可能にするのに十分な高さであってもよい。飲料容器蓋立ち上がり壁部７５は、窪み部８０も含んでいてもよく、孔平面７０は、窪み部８０において、飲料容器蓋立ち上がり壁部７５に接続されている。蓋２０のこれらの特徴は、円形トレイ２５Ｅを有する携帯用包装システム１５５の一部として、図２６Ｃおよび２６Ｄにも示されている。同様に、図２７Ａから２７Ｄは、蓋２０を有する携帯用包装システム１６０の一部として使用された逆角錐台トレイ２５Ｆを示している。
【００３８】
本明細書の食料容器トレイは、制限するものではない例として、熱形成（薄厚）および薄壁射出成形を含む様々な方法を用いて製造されてもよい。材料の種類は、当業者には明らかであるだろうし、制限するものではない例として、ＰＰ（ポリプロピレン）、ＰＥＴ（ポリエチレンテレフタレート）、ＣＰＥＴ、ＲＰＥＴポリエチレン（ＨＤＰＥ／ＬＤＰＥ）、スチレン、ＨＩＰＳ、ＨＭＷＰＥ、ＰＰ／ＰＥ混合物、（消費者または産業によって使用済みの材料を含有していても、または、含有していなくてもよい）熱可塑物質の特注混合物、および、熱可塑物質の他の専有混合物を含んでもよい。
【００３９】
本明細書では、上記、および、含められた例示的図面に示されたような、本発明の例示的な実施形態および応用例を記載したが、本発明を、これらの例示的な実施形態および応用例に、若しくは、例示的な実施形態および応用例が働くか、または、本明細書で記載された態様に限定することを全く意図していない。むしろ、当業者に明らかなように、例示的な実施形態に対する多くの変形および変更が可能である。本発明は、結果として得られる装置、システムまたは方法が、本出願または任意の関連特許出願に基づき特許庁が許可した請求項のうちの１項の範囲に入る限りは、任意の装置、構造、方法、または、機能性を含んでもよい。
【符号の説明】
【００４０】
１０  正方形携帯用包装システム
１５  正方形食料容器
２０  飲料容器蓋
２５  正方形トレイ
３０  底部
３５  食料容器壁部
４０  食料容器占有領域
４５  食料容器蓋
５０  縁部連結構造
５５  縁部平面
６０  飲料容器
６５  孔
７０  孔平面
７５  飲料容器蓋立ち上がり壁部
８０  窪み部
８５  上側平面
９０  補完的トレイ連結構造
９２  凸部
１００  トレイ底部
１０５  強化リブ
１１０  トレイ壁部
１１２  トレイ壁部凸部
１１５  トレイ壁部の第１の部分
１２０  トレイ壁部の第２の部分
１３０  トレイ占有領域
１３５  トレイ連結構造
１４０  凹部
１４５  支柱
１５０  スペース
【図１】
0006616836.tif 000002
【図２】
0006616836.tif 000003
【図３】
0006616836.tif 000004
【図４Ａ】
0006616836.tif 000005
【図４Ｂ】
0006616836.tif 000006
【図５Ａ】
0006616836.tif 000007
【図５Ｂ】
0006616836.tif 000008
【図５Ｃ】
0006616836.tif 000009
【図５Ｄ】
0006616836.tif 000010
【図５Ｅ】
0006616836.tif 000011
【図６】
0006616836.tif 000012
【図７Ａ】
0006616836.tif 000013
【図７Ｂ】
0006616836.tif 000014
【図７Ｃ】
0006616836.tif 000015
【図７Ｄ】
0006616836.tif 000016
【図７Ｅ】
0006616836.tif 000017
【図８Ａ】
0006616836.tif 000018
【図８Ｂ】
0006616836.tif 000019
【図９Ａ】
0006616836.tif 000020
【図９Ｂ】
0006616836.tif 000021
【図９Ｃ】
0006616836.tif 000022
【図１０】
0006616836.tif 000023
【図１１】
0006616836.tif 000024
【図１２】
0006616836.tif 000025
【図１３Ａ】
0006616836.tif 000026
【図１３Ｂ】
0006616836.tif 000027
【図１４Ａ】
0006616836.tif 000028
【図１４Ｂ】
0006616836.tif 000029
【図１５】
0006616836.tif 000030
【図１６Ａ】
0006616836.tif 000031
【図１６Ｂ】
0006616836.tif 000032
【図１６Ｃ】
0006616836.tif 000033
【図１６Ｄ】
0006616836.tif 000034
【図１６Ｅ】
0006616836.tif 000035
【図１７Ａ】
0006616836.tif 000036
【図１７Ｂ】
0006616836.tif 000037
【図１８Ａ】
0006616836.tif 000038
【図１８Ｂ】
0006616836.tif 000039
【図１８Ｃ】
0006616836.tif 000040
【図１８Ｄ】
0006616836.tif 000041
【図１９Ａ】
0006616836.tif 000042
【図１９Ｂ】
0006616836.tif 000043
【図１９Ｃ】
0006616836.tif 000044
【図２０】
0006616836.tif 000045
【図２１Ａ】
0006616836.tif 000046
【図２１Ｂ】
0006616836.tif 000047
【図２２Ａ】
0006616836.tif 000048
【図２２Ｂ】
0006616836.tif 000049
【図２２Ｃ】
0006616836.tif 000050
【図２２Ｄ】
0006616836.tif 000051
【図２２Ｅ】
0006616836.tif 000052
【図２３】
0006616836.tif 000053
【図２４Ａ】
0006616836.tif 000054
【図２４Ｂ】
0006616836.tif 000055
【図２５Ａ】
0006616836.tif 000056
【図２５Ｂ】
0006616836.tif 000057
【図２５Ｃ】
0006616836.tif 000058
【図２５Ｄ】
0006616836.tif 000059
【図２５Ｅ】
0006616836.tif 000060
【図２６Ａ】
0006616836.tif 000061
【図２６Ｂ】
0006616836.tif 000062
【図２６Ｃ】
0006616836.tif 000063
【図２６Ｄ】
0006616836.tif 000064
【図２７Ａ】
0006616836.tif 000065
【図２７Ｂ】
0006616836.tif 000066
【図２７Ｃ】
0006616836.tif 000067
【図２７Ｄ】
0006616836.tif 000068